(57)【要約】【課題】柄体をブラシ体に容易に取付けることができる毛髪化粧料用ブラシを提供する。【解決手段】毛髪化粧料用ブラシ１１は、ブラシ体１２と柄体２２とから構成されている。ブラシ体１２の背面１２ｂの基端部中央には取付け凹部１７が凹設され、その側面底部には断面コ字状をなす取付け保持凹溝１９が凹設されている。柄体２２の先端部には取付け凹部１７内に挿入される取付け板部２３が突設され、その両側面には取付け保持凹溝１９に嵌合する取付け保持突条２４が突設されている。取付け保持突条２４の側面の先端部及び中央部には、摩擦抵抗低減用切欠き２５が形成されている。そして、取付け板部２３が取付け凹部１７内に挿入されるときには、摩擦抵抗低減用切欠き２５と取付け保持凹溝１９との間に挿入補助間隙が形成されるようになっている。【選択図】    図１
2004350989.tif 000002
【特許請求の範囲】
【請求項１】
前面にブラシ歯が設けられるとともに毛髪化粧料が付着されるブラシ体と、ブラシ体に取付けられる柄体とを備え、
前記ブラシ体の背面の端部に柄体の端部が取付け凹部と取付け凸部の両側部との嵌合関係によって着脱可能に取付けられ、取付け凸部はその一端側から取付け凹部内に挿入されるとともに、両側面の一端部には摩擦抵抗低減用切欠きが設けられ、取付け凸部が取付け凹部内に挿入されるときには、摩擦抵抗低減用切欠きと取付け凹部との間に挿入補助間隙が形成されるように構成されていることを特徴とする毛髪化粧料用ブラシ。
【請求項２】
前記ブラシ体は軟質の合成樹脂材料により形成され、柄体は硬質の合成樹脂材料により形成されている請求項１に記載の毛髪化粧料用ブラシ。
【請求項３】
前記摩擦抵抗低減用切欠きは、取付け凸部の一端縁から取付け凸部における取付け凹部への挿入方向の長さの１０〜８５％に対応する箇所までの領域にわたって設けられている請求項１又は請求項２に記載の毛髪化粧料用ブラシ。
【請求項４】
前記取付け凸部は一定幅に設けられ、取付け凹部は、その開口端部が内奥部よりも幅広に設けられるとともに内奥部は取付け凸部の幅と同じに設定されている請求項１から請求項３のいずれか一項に記載の毛髪化粧料用ブラシ。
【発明の詳細な説明】
【０００１】
【発明の属する技術分野】
本発明は、毛髪に染毛剤、ヘアマニキュア、整髪料、脱色剤等の毛髪化粧料を塗布するために用いられる毛髪化粧料用ブラシに関するものである。より詳しくは、柄体をブラシ体に容易に取付けることができる毛髪化粧料用ブラシに関するものである。
【０００２】
【従来の技術】
従来、この種の毛髪化粧料用ブラシは、長四角板状をなし前面に多数のブラシ歯が突設されているブラシ体と、細長四角柱状をなしブラシ体に取付けられる柄体とから構成されている。ブラシ体の背面の基端部には、背面側及び基端側に向かって開口する案内部が凹設されている。この案内部の内奥部及び中央部は、それらの両側面に断面横Ｖ字状のスライド溝がそれぞれ凹設されることにより蟻溝状に形成されている。
【０００３】
一方、柄体の先端部には、柄体がブラシ体に取付けられるときに案内部内に挿入される連結部が形成されている。連結部の先端部及び中央部の両側部には、案内部の各スライド溝に対応した形状をなし連結部が案内部に挿入されたときにはスライド溝と嵌合するリブがそれぞれ突設されている（例えば、特許文献１参照。）。そして、柄体をブラシ体に取付けるときには、柄体の連結部をブラシ体の基端側から案内部内に挿入する。このとき、案内部の各スライド溝と連結部の各リブとはそれらの間に間隙が形成されることなく嵌合し、毛髪化粧料用ブラシを用いるときに連結部が案内部内で捻れるのを抑制するようになっている。
【０００４】
【特許文献１】
特開２００２−１５９３４１号公報（第２〜３頁）
【０００５】
【発明が解決しようとする課題】
ところが、この従来の毛髪化粧料用ブラシにおいては、連結部を案内部内に挿入したときには各リブと各スライド溝とがそれらの間に間隙が形成されることなく嵌合するために、連結部を案内部内に挿入するときには各リブが各スライド溝内を内奥部に向かって摺動する。このため、各リブと各スライド溝との間には各リブの摺動に伴って摩擦抵抗が発生し、この摩擦抵抗に起因して連結部を案内部内に挿入するのが困難になる。よって、柄体をブラシ体に取付けるのが困難になるという問題があった。
【０００６】
本発明は、上記のような従来技術に存在する問題点に着目してなされたものである。その目的とするところは、柄体をブラシ体に容易に取付けることができる毛髪化粧料用ブラシを提供することにある。
【０００７】
【課題を解決するための手段】
上記の目的を達成するために、請求項１に記載の発明の毛髪化粧料用ブラシは、前面にブラシ歯が設けられるとともに毛髪化粧料が付着されるブラシ体と、ブラシ体に取付けられる柄体とを備え、前記ブラシ体の背面の端部に柄体の端部が取付け凹部と取付け凸部の両側部との嵌合関係によって着脱可能に取付けられ、取付け凸部はその一端側から取付け凹部内に挿入されるとともに、両側面の一端部には摩擦抵抗低減用切欠きが設けられ、取付け凸部が取付け凹部内に挿入されるときには、摩擦抵抗低減用切欠きと取付け凹部との間に挿入補助間隙が形成されるように構成されているものである。
【０００８】
請求項２に記載の発明の毛髪化粧料用ブラシは、請求項１に記載の発明において、前記ブラシ体は軟質の合成樹脂材料により形成され、柄体は硬質の合成樹脂材料により形成されているものである。
【０００９】
請求項３に記載の発明の毛髪化粧料用ブラシは、請求項１又は請求項２に記載の発明において、前記摩擦抵抗低減用切欠きは、取付け凸部の一端縁から取付け凸部における取付け凹部への挿入方向の長さの１０〜８５％に対応する箇所までの領域にわたって設けられているものである。
【００１０】
請求項４に記載の発明の毛髪化粧料用ブラシは、請求項１から請求項３のいずれか一項に記載の発明において、前記取付け凸部は一定幅に設けられ、取付け凹部は、その開口端部が内奥部よりも幅広に設けられるとともに内奥部は取付け凸部の幅と同じに設定されているものである。
【００１１】
【発明の実施の形態】
以下、本発明を具体化した一実施形態を図面に基づいて詳細に説明する。尚、以下の説明においては、図７におけるブラシ体１２を基準にし、ブラシ体１２よりも上側を前面側と称するとともに、下側を背面側と称する。
【００１２】
図１に示すように、毛髪化粧料用ブラシ１１（以下、単にブラシ１１ともいう。）を構成するブラシ体１２は長四角板状に形成され、その前面１２ａは短手方向に丸みを帯びるとともに丸棒状のブラシ歯１３が多数立設されている。
【００１３】
図７に示すように、ブラシ体１２の前面１２ａにおいて、その中央部には多数のブラシ歯１３から構成される１列の中央ブラシ歯列１４が突出形成され、両側部には多数のブラシ歯１３から構成される２列の側部ブラシ歯列１５がそれぞれ突出形成されている。さらに、ブラシ体１２の前面１２ａの先端部には、多数のブラシ歯１３から構成される２列の端部ブラシ歯列１６が前面１２ａに対して斜め外方へ延びるように突出形成されている。
【００１４】
図１、図２（ａ）及び図３に示すように、ブラシ体１２の背面１２ｂの基端部中央には、平面長方形状の取付け凹部１７がブラシ体１２の長手方向に延びるように形成されている。このため、ブラシ体１２の背面１２ｂは平面逆コ字状に形成され、ブラシ体１２及び取付け凹部１７の周縁部よりも内方には凹部１８が形成されている。取付け凹部１７の両側面底部には、断面コ字状をなす取付け保持凹溝１９が側面全体にわたってそれぞれ形成されている。
【００１５】
図２（ｂ）に示すように、取付け凹部１７の幅は、取付け保持凹溝１９が形成されている箇所において、開口端部としての基端部１７ａが内奥部１７ｂよりも幅広に形成され、中央部１７ｃは基端部１７ａから内奥部１７ｂに向かうに従い幅狭になるようにテーパ状に形成されている。例えば、基端部１７ａの幅は１２．１ｍｍであるとともに内奥部１７ｂの幅は１１．８ｍｍであり、基端部１７ａと内奥部１７ｂとの差は０．３ｍｍである。尚、図２（ａ）及び（ｂ）、図３並びに図５（ａ）〜（ｃ）においては、取付け凹部１７の幅は、理解を容易にするために基端部１７ａと内奥部１７ｂとの差を誇張して大きく描かれている。
【００１６】
図１〜図３に示すように、取付け凹部１７の底面中央において、内奥部には平面長方形状の捻れ抑制凹部２０が取付け凹部１７の長さ方向に延びるように形成され、捻れ抑制凹部２０よりも基端側には、中央部から基端部にかけて延びる平面細長長方形状をなす捻れ抑制凹溝２１が形成されている。捻れ抑制凹溝２１の内奥部は、底面が内奥部に向かうに従い背面側に傾斜する傾斜状に形成されるとともに、内奥部に向かうに従い幅狭となるテーパ状に形成されている。
【００１７】
図１並びに図４（ａ）及び（ｂ）に示すように、ブラシ１１を構成する柄体２２は略Ｌ字状に曲がり、柄体２２の先端部には取付け凸部としての細長四角板状をなす取付け板部２３が柄体２２の先端部に対して略直角に延びるように突設されている。そして、柄体２２をブラシ体１２に取付けるときには、取付け板部２３が取付け凹部１７内に挿入されるようになっている。
【００１８】
取付け板部２３の両側面頂部には取付け保持突条２４が側面全体にわたってそれぞれ突設され、各取付け保持突条２４は各取付け保持凹溝１９の形状と対応するように四角薄板状に形成されている。そして、取付け板部２３が取付け凹部１７内に挿入されたときには、取付け板部２３の各取付け保持突条２４が取付け凹部１７の各取付け保持凹溝１９にそれぞれ嵌合するようになっている。取付け板部２３は一定幅に形成され、取付け保持突条２４が形成されている箇所の幅は取付け凹部１７の内奥部の幅と同じ１１．８ｍｍに設定されている。
【００１９】
各取付け保持突条２４の側面の先端部及び中央部には、摩擦抵抗低減用切欠き２５（以下、単に切欠き２５ともいう。）が形成されている。このため、各取付け保持突条２４の側面の先端部及び中央部には、取付け保持突条２４の厚さ方向の中央から頂部にかけて側縁ほど取付け保持突条２４の厚さが薄くなるように傾斜する傾斜面２５ａが形成されている。そして、図５（ｂ）及び（ｄ）に示すように、取付け板部２３が取付け凹部１７内に挿入されるときには、傾斜面２５ａと取付け凹部１７との間、即ち切欠き２５と取付け保持凹溝１９との間に挿入補助間隙２６が形成されるようになっている。
【００２０】
この切欠き２５は、取付け板部２３の先端縁から取付け板部２３における取付け凹部１７への挿入方向、即ち取付け板部２３の長手方向の長さの１０〜８５％に対応する箇所までの領域にわたって形成されるのが好ましい。長手方向の長さの１０％未満では、切欠き２５の形成されている領域が少ないために、取付け板部２３を取付け凹部１７内に挿入するときに切欠き２５と取付け保持凹溝１９との間に形成される挿入補助間隙２６が小さくなる。
【００２１】
このため、取付け保持突条２４の摺動に伴い取付け保持突条２４と取付け保持凹溝１９との間に発生する摩擦抵抗が大きくなり、取付け板部２３を取付け凹部１７内に挿入するのが困難になる。一方、８５％を超えると、取付け板部２３を取付け凹部１７内に挿入したときには、挿入補助間隙２６が大きくなるために取付け保持突条２４及び取付け保持凹溝１９の嵌合の程度が小さくなり、ブラシ１１を使用するときに取付け板部２３が取付け凹部１７内で捻れるおそれがある。
【００２２】
図１及び図４（ａ）に示すように、取付け板部２３の先端部には底面コ字状のスリット２７が貫通形成され、スリット２７の内側は捻れ抑制片２８として構成されている。捻れ抑制片２８は、その基端部が取付け板部２３に片持ち支持され、先端部が厚さ方向に弾性変形可能に構成されている。捻れ抑制片２８の頂面先端縁には、基端側に斜面を有する断面直角三角形状の捻れ抑制突起２９が突設されている。そして、取付け板部２３が取付け凹部１７内に挿入されたときには、捻れ抑制突起２９の先端面と捻れ抑制凹部２０の基端面とが係合して取付け板部２３の取付け凹部１７からの抜け落ちを抑制するようになっている。
【００２３】
取付け板部２３の頂面においてスリット２７よりも基端側には、捻れ抑制凹溝２１の形状に対応するように細長四角柱状をなす捻れ抑制突条３０が突設されている。捻れ抑制突条３０の先端部は、先端縁ほど捻れ抑制突条３０の厚さが薄くなるように傾斜する傾斜状に頂面が形成されるとともに、先端部に向かうに従い両側面が幅狭になるように傾斜するテーパ状に形成されている。そして、取付け板部２３が取付け凹部１７内に挿入されたときには、捻れ抑制突条３０と捻れ抑制凹溝２１とが係合するようになっている。図１に示すように、柄体２２の先端部には取付け板部２３の基端側に四角板状の誤挿入防止片３１が突設され、その頂面は捻れ抑制突条３０の頂面と同一面になっている。
【００２４】
柄体２２はブラシ１１を使用するときに把持される把持部３２として構成され、把持部３２の先端には、把持部３２を把持するときに滑るのを防止するための断面半円状をなす滑り防止突条３３が柄体２２の外周全体にわたって複数突設されている。
【００２５】
ブラシ体１２及び柄体２２は、ＬＬＤＰＥ（直鎖状低密度ポリエチレン）、ＬＤＰＥ（低密度ポリエチレン）、ＭＤＰＥ（中密度ポリエチレン）、ＨＤＰＥ（高密度ポリエチレン）、ＡＢＳ（アクリロニトリル−ブタジエン−スチレン共重合体）、ＡＳ（アクリロニトリル−スチレン共重合体）、ＰＳ（ポリスチレン）、ＰＣ（ポリカーボネート）、ＰＰ（ポリプロピレン）及びそれらを混合したもの等の合成樹脂材料によりそれぞれ形成されている。これら合成樹脂材料のＪＩＳ  Ｋ  ６９２１−２に従って測定される引張り降伏強さは、ＬＬＤＰＥ及びＬＤＰＥがそれぞれ４〜１５ＭＰａであるとともにＭＤＰＥが８〜２４ＭＰａであり、ＨＤＰＥが２１〜３７ＭＰａであるとともにＰＰが２０〜３９ＭＰａである。さらに、ＡＢＳが３９〜５１ＭＰａであるとともにＡＳが５８〜８１ＭＰａであり、ＰＳが３４〜８１ＭＰａであるとともにＰＣが５３〜６８ＭＰａである。
【００２６】
ブラシ体１２の材質は、上記合成樹脂材料の中でも軟質の合成樹脂材料が好ましく、柄体２２の材質は硬質の合成樹脂材料が好ましい。ここで、軟質の合成樹脂材料とは、上記と同様にして測定される引張り降伏強さが１〜２０ＭＰａであるもの、又は引張り降伏強さが１〜２０ＭＰａとなるように二種以上の合成樹脂材料が混合されたものをいう。一方、硬質の合成樹脂材料とは、上記と同様にして測定される引張り降伏強さが２０ＭＰａを超えるもの、又は引張り降伏強さが２０ＭＰａを超えるように二種以上の合成樹脂材料が混合されたものをいう。
【００２７】
ブラシ体１２の前面１２ａに付着される毛髪化粧料の具体例としては、染毛剤、ヘアマニキュア、整髪料、脱色剤等が挙げられる。この毛髪化粧料は泡状、クリーム状、ゲル状、ペースト状等の形態として構成されるが、前面１２ａに付着したときに前面１２ａから垂れ落ちるのを抑制するために、少なくとも増粘剤を含有し、使用するときには泡状をなして毛髪に塗布されるように構成されるのが好ましい。
【００２８】
さて、このブラシ１１を使用して毛髪に毛髪化粧料を塗布するときには、まず柄体２２をブラシ体１２に取付ける。
図１並びに図５（ａ）及び（ｂ）に示すように、柄体２２をブラシ体１２に取付けるときには、ブラシ体１２の基端側から、取付け凹部１７内に柄体２２の取付け板部２３を挿入する。このとき、各取付け保持突条２４が各取付け保持凹溝１９に嵌合する。ここで、各取付け保持突条２４の側面の先端部には切欠き２５が形成されるとともに、取付け板部２３の幅は取付け凹部１７の基端部の幅よりも狭い。このため、各切欠き２５及び各取付け保持凹溝１９間並びに各取付け保持突条２４の側面及び各取付け保持凹溝１９の底面間には挿入補助間隙２６が形成され、取付け板部２３の先端部を取付け凹部１７内に容易に挿入することができる。
【００２９】
続いて、図６（ａ）に示すように、取付け凹部１７内に取付け板部２３をさらに挿入する。このとき、各取付け保持突条は各取付け保持凹溝内を内奥部側へ摺動するとともに、捻れ抑制突条３０と捻れ抑制凹溝２１とが係合する。
【００３０】
ここで、切欠き２５と取付け保持凹溝１９との間には挿入補助間隙２６が形成されているために、取付け保持突条２４の摺動に伴い取付け保持突条２４と取付け保持凹溝１９との間に発生する摩擦抵抗を挿入補助間隙２６が形成されないときに比べて低減させることができる。このため、取付け板部２３を取付け凹部１７内に容易に挿入することができる。
【００３１】
そして、図６（ｂ）に示すように、捻れ抑制突起２９が捻れ抑制凹溝２１の底面の内奥部に摺接すると、捻れ抑制突起２９は捻れ抑制凹溝２１の底面に押圧され、捻れ抑制片２８の先端部は背面１２ｂ側へ弾性変形する。この状態で取付け凹部１７内に取付け板部２３をさらに挿入すると、図６（ｃ）に示すように、捻れ抑制片２８の先端部は前面１２ａ側へ弾性変形し、捻れ抑制突起２９の先端面と捻れ抑制凹部２０の基端面とが係合する。
【００３２】
このとき、図５（ｃ）〜（ｅ）に示すように、取付け板部２３の幅は取付け凹部１７の内奥部の幅と同じに設定されているために、取付け板部２３の先端部を取付け凹部１７の内奥部によって挟持することができる。さらに、取付け保持突条２４の基端部には切欠き２５が形成されていないために、取付け保持突条２４の基端部と取付け保持凹溝１９の基端部との間にほとんど間隙が形成されることなく嵌合することができる。
【００３３】
次いで、前面１２ａに毛髪化粧料を付着した後に、ブラシ１１を使用して毛髪に毛髪化粧料を塗布する。このとき、ブラシ体１２が軟質の合成樹脂材料により形成されているときには、各ブラシ歯１３の接触による頭皮への刺激を低減することができる。
【００３４】
さらに、図５（ｅ）及び図６（ｃ）に示すように、各取付け保持突条２４が各取付け保持凹溝１９に嵌合するとともに、捻れ抑制突起２９の先端面及び捻れ抑制凹部２０の基端面並びに捻れ抑制凹溝２１及び捻れ抑制突条３０が係合している。加えて、柄体２２が硬質の合成樹脂材料により形成されているときには、側方からの捻れの力によって取付け板部２３が取付け凹部１７内で捻れるのを抑制することができる。そして、捻れ抑制突起２９の先端面と捻れ抑制凹部２０の基端面とが係合することにより、取付け板部２３が取付け凹部１７内から抜け落ちるのを抑制することができる。
【００３５】
柄体２２をブラシ体１２から取外すときには、取付け板部２３を取付け凹部１７内から引き抜く。このとき、捻れ抑制片２８の先端部が背面側へ弾性変形することによって捻れ抑制突起２９と捻れ抑制凹部２０との係合が解除された後、取付け板部２３は取付け凹部１７から取外される。
【００３６】
以上詳述した本実施形態によれば、次のような効果が発揮される。
・  本実施形態のブラシ１１においては、ブラシ体１２の背面１２ｂの基端部中央には取付け凹部１７が形成され、取付け凹部１７の両側面底部には取付け保持凹溝１９がそれぞれ形成されている。一方、柄体２２の先端縁には取付け凹部１７内に挿入される取付け板部２３が突設され、取付け板部２３の両側面には取付け保持突条２４がそれぞれ突設されている。各取付け板部２３の側面の先端部及び中央部には切欠き２５が形成され、取付け板部２３が取付け凹部１７内に挿入されるときには、取付け保持突条２４が取付け保持凹溝１９内を摺動するとともに、切欠き２５と取付け保持凹溝１９との間に挿入補助間隙２６が形成されるようになっている。
【００３７】
このため、本実施形態のブラシ１１は、取付け保持突条２４の摺動に伴い取付け保持突条２４と取付け保持凹溝１９との間に発生する摩擦抵抗を従来のブラシに比べて低減し、取付け板部２３を取付け凹部１７内に容易に挿入することができる。よって、柄体２２をブラシ体１２に容易に取付けることができる。
【００３８】
・  ブラシ体１２は軟質の合成樹脂材料により形成され、柄体２２は硬質の合成樹脂材料により形成されるのが好ましい。この場合には、ブラシ１１を使用するときに頭皮への刺激を低減することができるとともに、取付け板部２３の取付け凹部１７内での捻れを抑制することによって柄体２２のブラシ体１２への取付け状態を確実に保持することができる。
【００３９】
・  切欠き２５は、取付け保持突条２４の先端縁から取付け板部２３の長手方向の長さの１０〜８５％に対応する箇所までの領域にわたって形成されるのが好ましい。この場合には、取付け板部２３を取付け凹部１７内により容易に挿入することによって柄体２２をブラシ体１２により容易に取付けることができるとともに、取付け板部２３の取付け凹部１７内での捻れをより確実に抑制することによって柄体２２のブラシ体１２への取付け状態をより確実に保持することができる。
【００４０】
・  取付け板部２３は一定幅に形成され、取付け凹部１７は、その基端部１７ａが内奥部１７ｂよりも幅広に形成されるとともに内奥部１７ｂは取付け板部２３の幅と同じである。このため、取付け板部２３を取付け凹部１７内に挿入するときには、各取付け保持突条２４の側面と取付け保持凹溝１９の基端部の底面との間に挿入補助間隙２６が形成され、取付け板部２３を取付け凹部１７内にさらに容易に挿入することができる。よって、柄体２２をブラシ体１２にさらに容易に取付けることができる。加えて、取付け板部２３を取付け凹部１７内に挿入したときには、取付け板部２３の先端部が取付け凹部１７の内奥部によって挟持され、取付け板部２３の取付け凹部１７内でのぐらつきを抑制することができる。このため、柄体２２のブラシ体１２への取付け状態をさらに確実に保持することができる。
【００４１】
・  取付け凹部１７の底面には捻れ抑制凹部２０及び捻れ抑制凹溝２１が凹設され、取付け板部２３の頂面には捻れ抑制突起２９を有する捻れ抑制片２８及び捻れ抑制突条３０が形成されている。そして、取付け板部２３を取付け凹部１７内に挿入したときには、捻れ抑制突起２９の先端面と捻れ抑制凹部２０の基端面とが係合するとともに、捻れ抑制突条３０及び捻れ抑制凹溝２１が係合する。このため、捻れ抑制凹部２０、捻れ抑制凹溝２１、捻れ抑制突起２９及び捻れ抑制突条３０は捻れ抑制係合部として作用し、取付け板部２３の取付け凹部１７内での捻れをさらに確実に抑制することによって、柄体２２のブラシ体１２への取付け状態をより一層確実に保持することができる。
【００４２】
・  柄体２２の先端部には、取付け板部２３の基端側に四角板状の誤挿入防止片３１が突設されている。このため、誤挿入防止片３１とブラシ体１２の基端面とが係合することにより、取付け板部２３がその基端側から取付け凹部１７内に誤挿入されるのを防止することができる。
【００４３】
尚、前記実施形態を次のように変更して構成することもできる。
・  前記ブラシ体１２の背面１２ｂの基端部中央に取付け板部２３を突設するとともに、柄体２２の先端縁に取付け凹部１７を凹設してもよい。
【００４４】
・  前記傾斜面２５ａを、取付け保持突条２４の厚さ方向の底部から頂部にかけて側縁ほど取付け保持突条２４の厚さが薄くなるように傾斜する傾斜状に形成してもよいし、曲面状に形成してもよい。
【００４５】
次に、前記実施形態から把握できる技術的思想について以下に記載する。
・  前記取付け凹部の底面及び取付け凸部の頂面には、互いに係合する捻れ抑制係合部がそれぞれ設けられている請求項１から請求項４のいずれか一項に記載の毛髪化粧料用ブラシ。この構成によれば、取付け凸部の取付け凹部内での捻れをより確実に抑制することにより、柄体のブラシ体への取付け状態をより確実に保持することができる。
【００４６】
【発明の効果】
本発明は、以上のように構成されているため、次のような効果を奏する。
請求項１に記載の発明の毛髪化粧料用ブラシによれば、柄体をブラシ体に容易に取付けることができる。
【００４７】
請求項２に記載の発明の毛髪化粧料用ブラシによれば、請求項１に記載の発明の効果に加え、ブラシを使用するときに頭皮への刺激を低減することができるとともに、柄体のブラシ体への取付け状態を確実に保持することができる。
【００４８】
請求項３に記載の発明の毛髪化粧料用ブラシによれば、請求項１又は請求項２に記載の発明の効果に加え、柄体をブラシ体により容易に取付けることができるとともに、柄体のブラシ体への取付け状態をより確実に保持することができる。
【００４９】
請求項４に記載の発明の毛髪化粧料用ブラシによれば、請求項１から請求項３のいずれか一項に記載の発明の効果に加え、柄体をブラシ体にさらに容易に取付けることができるとともに、柄体のブラシ体への取付け状態をさらに確実に保持することができる。
【図面の簡単な説明】
【図１】本実施形態の毛髪化粧料用ブラシを示す分解斜視図。
【図２】（ａ）はブラシ体を示す平面図、（ｂ）は取付け凹部を示す要部拡大断面図、（ｃ）はブラシ体を示す要部拡大断面図。
【図３】ブラシ体を示す正面図。
【図４】（ａ）は柄体を示す底面図、（ｂ）は柄体を示す側面図。
【図５】（ａ）は柄体をブラシ体に取付ける途中の状態を示す要部拡大断面図、（ｂ）は（ａ）のｂ−ｂ線における断面図、（ｃ）は柄体をブラシ体に取付けた状態を示す要部拡大断面図、（ｄ）は（ｃ）のｄ−ｄ線における断面図、（ｅ）は柄体をブラシ体に取付け状態を示す正面図（（ｃ）のｅ矢視図）。
【図６】（ａ）及び（ｂ）は柄体をブラシ体に取付ける途中の状態を示す要部拡大断面図、（ｃ）は柄体をブラシ体に取付けた状態を示す要部拡大断面図。
【図７】毛髪化粧料用ブラシを示す斜視図。
【符号の説明】
１１…毛髪化粧料用ブラシ、１２…ブラシ体、１２ａ…前面、１２ｂ…背面、１３…ブラシ歯、１７…取付け凹部、１７ａ…開口端部としての基端部、１７ｂ…内奥部、２２…柄体、２３…取付け凸部としての取付け板部、２５…摩擦抵抗低減用切欠き、２６…挿入補助間隙。
【図１】
2004350989.tif 000003
【図２】
2004350989.tif 000004
【図３】
2004350989.tif 000005
【図４】
2004350989.tif 000006
【図５】
2004350989.tif 000007
【図６】
2004350989.tif 000008
【図７】
2004350989.tif 000009